(57)【要約】【課題】ドアクローザと上枠及び上框とを強固に固定できて、取付部分の強度が高い断熱ドアを提供する。【解決手段】建物開口部に設けた上下枠及び左右の縦枠からなるドア枠１に上下框及び左右の縦框からなるドア体２を収め、室外側の金属部材と室内側の樹脂部材から構成される上枠１０と上框２０とをドアクローザ６により連結した断熱ドアにおいて、上枠１０及び／又は上框２０には樹脂部材１０ｂ、２０ｂと金属部材１０ａ、２０ａの間の空間部１０ｃ、２０ｅに樹脂からなるスペーサ５０を設け、ドアクローザ６はスペーサ５０を介して金属部材１０ａ、２０ａにねじ止めする。また、樹脂部材１０ｂ、２０ｂとスペーサ５０及び金属部材１０ａ、２０ａの室内側面は一連に貫通する貫通孔２０ｆを形成し、ドアクローザ６は貫通孔２０ｆに挿入されるねじ５８によって固定される。【選択図】  図４
2004293227.tif 000002
【特許請求の範囲】
【請求項１】
建物開口部に設けた上下枠及び左右の縦枠からなるドア枠に上下框及び左右の縦框からなるドア体を収め、室外側の金属部材と室内側の樹脂部材から構成される上記上枠と上框とをドアクローザにより連結した断熱ドアにおいて、
上記上枠及び／又は上框には上記樹脂部材と金属部材の間の空間部に樹脂からなるスペーサを設け、上記ドアクローザは上記スペーサを介して上記金属部材にねじ止めしてなることを特徴とする断熱ドア。
【請求項２】
上記樹脂部材とスペーサ及び金属部材の室内側面は一連に貫通する貫通孔を形成し、上記ドアクローザは上記貫通孔に挿入されるねじによって固定されることを特徴とする請求項１記載の断熱ドア。
【請求項３】
上記スペーサは上記貫通孔を構成するねじ孔を有した筒状部を複数設け、各筒状部は連結部にて相互に一体化されてなることを特徴とする請求項２記載の断熱ドア。
【請求項４】
上記スペーサは上記貫通孔を構成するねじ孔を有した筒状部からなり、該筒状部は鍔状に突出する突部を有することを特徴とする請求項２記載の断熱ドア。
【請求項５】
上記スペーサは室内側面を上記樹脂部材の室内側面と略面一状としてなることを特徴とする請求項１〜４のいずれか１項に記載の断熱ドア。
【請求項６】
上記スペーサは室内側面を上記樹脂部材の室内側片に当接させてなることを特徴とする請求項１〜４のいずれか１項に記載の断熱ドア。
【発明の詳細な説明】
【０００１】
【発明の属する技術分野】
本発明は建物開口部に設けたドア枠にドア体を収めた断熱ドアに関し、特に室外側の金属部材と室内側の樹脂部材からなる上枠と上框をドアクローザにて連結してドア体を開閉自在としてなる断熱ドアに関する。
【０００２】
【従来の技術】
従来から、建物開口部に設けたドア枠にドア体を開閉自在に収めたドアであって、それらを構成する各部材は金属部材の室内側に樹脂部材を配設した複合材からなる断熱ドアが提供されている。このような断熱ドアは、断熱性が高く、室内側に結露を生じにくい。また、室内側を樹脂部材とすることで室内側の意匠性を高めることができるものである。
【０００３】
このような断熱ドアは、室内側にドアクローザを設けて上枠と上框を連結することにより、ドア体をドア枠に対して開閉自在となるようにしている。このようにドアクローザを用いた断熱ドアについては、例えば特許文献１に示すようなものがある。
【０００４】
【特許文献１】
特開２００２−１８０７４６号公報
【０００５】
ドアクローザを用いてドア体を開閉自在とした断熱ドアでは、ドアクローザのドア枠及びドア体に対する取付部分において、大きな力がかかることになる。このため、ドアクローザと上枠及び上框との取付けに関しては、特許文献１にもあるように、上枠及び上框の取付面に補助板を設け、ドアクローザと樹脂部材、金属部材及び補助板を貫通するねじによってねじ止めするなどして、強固な固定がなされる。
【０００６】
【発明が解決しようとする課題】
しかし、従来の断熱ドアにおいては、以下に述べる問題点を有していた。
上枠や上框の金属部材と樹脂部材の間には、断熱性を確保するために隙間があって空間部を形成している。したがって、ドアクローザと上枠及び上框を強固にねじ止めすると、比較的強度の低い樹脂部材が金属部材側にたわんで変形する。また、樹脂部材が断面中空状に形成されている場合にも、同様の問題が生じる。このため、ドアクローザと上枠及び上框の固定強度をあまり大きくすることができない。
【０００７】
本発明は、上記従来の問題点に鑑みてなされたものであり、ドアクローザと上枠及び上框とを強固に固定できて、取付部分の強度が高い断熱ドアを提供することを目的とする。
【０００８】
【課題を解決するための手段】
上記課題を解決するため、本発明に係る断熱ドアは、建物開口部に設けた上下枠及び左右の縦枠からなるドア枠に上下框及び左右の縦框からなるドア体を収め、室外側の金属部材と室内側の樹脂部材から構成される上記上枠と上框とをドアクローザにより連結した断熱ドアにおいて、
上記上枠及び／又は上框には上記樹脂部材と金属部材の間の空間部に樹脂からなるスペーサを設け、上記ドアクローザは上記スペーサを介して上記金属部材にねじ止めしてなることを特徴として構成されている。
【０００９】
また、本発明に係る断熱ドアは、上記樹脂部材とスペーサ及び金属部材の室内側面は一連に貫通する貫通孔を形成し、上記ドアクローザは上記貫通孔に挿入されるねじによって固定されることを特徴として構成されている。
【００１０】
さらに、本発明に係る断熱ドアは、上記スペーサは上記貫通孔を構成するねじ孔を有した筒状部を複数設け、各筒状部は連結部にて相互に一体化されてなることを特徴として構成されている。
【００１１】
さらにまた、本発明に係る断熱ドアは、上記スペーサは上記貫通孔を構成するねじ孔を有した筒状部からなり、該筒状部は鍔状に突出する突部を有することを特徴として構成されている。
【００１２】
そして、本発明に係る断熱ドアは、上記スペーサは室内側面を上記樹脂部材の室内側面と略面一状としてなることを特徴として構成されている。
【００１３】
また、本発明に係る断熱ドアは、上記スペーサは室内側面を上記樹脂部材の室内側片に当接させてなることを特徴として構成されている。
【００１４】
【発明の実施の形態】
本発明の第１の実施形態について図面に沿って詳細に説明する。図１は本実施形態における断熱ドアの縦断面図である。また、図２は本実施形態における断熱ドア上部の横断面図であり、図３は断熱ドア下部の横断面図である。これら各図において、本実施形態における断熱ドアは、建物開口部Ａにドア枠１を設け、ドア枠１にはドア体２を開閉自在に収めてなり、ドア体２には外障子３及び内障子４を上下動可能に収めたものである。また、上げ下げ障子を開放可能に構成しているため、ドア体２の室外側には網戸５を設けている。ドア体２はドアクローザ６によって開閉自在とされるものであり、住宅の勝手口等に用いられる。また、ドア枠１とドア体２及び室内外障子３、４はそれぞれ、金属部材の室内側露出部分を樹脂部材にて略覆った複合材からなり、断熱性を確保している。
【００１５】
建物開口部Ａに設けられるドア枠１は、金属部材については金属上枠１０ａと金属下枠１１ａ及び金属縦枠１２ａ、１２ａを方形状に枠組みして、ねじによって相互に締結してなる。また、それらの室内側露出部分には樹脂部材としてそれぞれ樹脂上枠１０ｂと樹脂下枠１１ｂ及び樹脂縦枠１２ｂ、１２ｂを設けて、それらは各金属枠に対してねじ止めや係止及びカシメによって固定される。このように、ドア枠１において金属部材の室内側露出部分を樹脂部材で略覆うことにより、断熱性を高めている。
【００１６】
ドア枠１の内部に収められるドア体２を構成する各ドア框材は、金属部材についてはドア金属上框２０ａとドア金属下框２１ａ及びドア金属縦框２２ａ、２２ａを方形状に枠組みして、ねじによって相互に締結してなる。また、それらの室内側露出部分には樹脂部材としてそれぞれドア樹脂上框２０ｂとドア樹脂下框２１ｂ及びドア樹脂縦框２２ｂ、２２ｂを設けて、それらは各ドア金属框に対してねじ止めや係止及びカシメによって固定される。このようにドア枠１と同様にドア体２も複合材からなることにより、ドアの断熱性を高めている。
【００１７】
また、ドア体２の内部に収められる外障子３及び内障子４は、金属部材については障子金属上框３０ａと障子金属下框３１ａ及び障子金属縦框３２ａ、３２ａを方形状に枠組みして、ねじによって相互に締結してなる。また、それらの室内側露出部分には樹脂部材としてそれぞれ障子樹脂上框３０ｂと障子樹脂下框３１ｂ及び障子樹脂縦框３２ｂ、３２ｂを設けて、それらは各障子金属框に対してねじ止めや係止及びカシメによって固定される。
【００１８】
このように、本実施形態におけるドアは、ドア枠１とドア体２、外障子３及び内障子４のいずれも、金属部材の室内側露出部分を樹脂部材にて略覆ってなるものであり、金属による冷たい感じを隠すことができると共に、高い断熱性を有している。さらに、方形状とされた外障子３及び内障子４の框内部には、それぞれ複層ガラスを収めており、ガラス部分における断熱性も確保している。なお、ドア枠１を構成する各金属枠材と、ドア体２や外障子３及び内障子４を構成する各金属框材は、断面中空状の押出し型材であり、通常アルミが用いられる。また、ドア枠１とドア体２、外障子３及び内障子４に用いられる樹脂部材は、熱伝導率の低い塩化ビニルやアクリル樹脂等から成型される。
【００１９】
次に、ドア縦框２２の構造について説明する。ドア縦框２２は、外障子３及び内障子４を上下動自在に案内するために、断面形状において室外側から順に外レール２２ｃと中央レール２２ｄ及び内レール２２ｅを備えている。外レール２２ｃと内レール２２ｅはドア縦框２２に形成され、中央レール２２ｄは、外レール２２ｃと内レール２２ｅの間に設けられるガイド部材４０に形成される。すなわち、中央レール２２ｄは、ガイド部材４０を介在させてドア縦框２２に取付けられることになる。
【００２０】
これら外レール２２ｃと中央レール２２ｄ及び内レール２２ｅによって、外障子３及び内障子４を上下方向に案内する溝を形成している。すなわち、外レール２２ｃと中央レール２２ｄにより、ドア縦框２２の断面形状において室外側に凹部状の溝を形成し、外障子３を案内する外ガイド溝２２ｆとなる。また、内レール２２ｅと中央レール２２ｄにより、ドア縦框２２の断面形状において室内側に凹部状の溝を形成し、内障子４を案内する内ガイド溝２２ｇとなる。
【００２１】
外ガイド溝２２ｆに案内される外障子３は、閉じた状態ではドア体２の上部に配置される。一方、内ガイド溝２２ｇに案内される内障子４は、閉じた状態ではドア体２の下部に配置される。内障子４の障子樹脂上框３０には、持手部３０ｃが形成されており、持手部３０ｃを持って内障子４を上方に引き上げると、それと連動して外障子３は下方に引き下げられる。そして、外障子３と内障子４が略同高さとなる位置において、それ以上移動しないように障子ストッパ４１、４１が外ガイド溝２２ｆ及び内ガイド溝２２ｇにそれぞれ設けられている。したがって、最も各障子が開いた状態では、ドア体２の略中央付近で互いに重なり合うことになる。
【００２２】
次に、ドア枠１とドア体２に対するドアクローザ６の取付構造について説明する。図４は、本実施形態における断熱ドアの縦断面図の上部拡大図である。ドアクローザ６は、ドア枠１の上枠１０とドア体２のドア上框２０にそれぞれ固定され、緩衝力によりドア体２をゆっくりと閉じるためのものである。ドアクローザは緩衝力を生じる本体６ａと、上アーム６ｂ及び下アーム６ｃからなっている。本体６ａは、ドア上框２０に取付固定され、下アーム６ｃが本体６ａに回動自在に取付けられている。また、上アーム６ｂは上枠１０に取付固定されると共に、下アーム６ｃと先端部において回動自在に連結される。
【００２３】
ここで、本体６ａを固定するドア体２のドア上框２０は、上述のように金属部材であるドア金属上框２０ａの室内側露出部分を、樹脂部材であるドア樹脂上框２０ｂにて覆ってなるものである。ドア樹脂上框２０ｂは、断面中空状に形成されて二重構造となっており、室外側片２０ｃ及び室内側片２０ｄを有している。室外側片２０ｃは、ドア金属上框２０ａに対向し、室内側片２０ｄは、ドアクローザ６の本体６ａが当接、固定される。室外側片２０ｃは、ドア金属上框２０ａに対して係止され、室外側片２０ｃとドア金属上框２０ａとの間には空間部２０ｅを生じる。そのため、そのままドアクローザ６の本体６ａからドア樹脂上框２０ｂを貫通してドア金属上框２０ａにねじ止めすると、ドア樹脂上框２０ｂは変形する。そこで、本発明においては、ドアクローザ６の本体６ａとドア金属上框２０ａとの間にスペーサ５０を設けている。
【００２４】
図６にはスペーサ５０の側面図及び正面図を示している。本実施形態におけるスペーサ５０は、円筒状に形成された２つの筒状部５１、５１を備え、それらを連結部５５で連結してなるものである。筒状部５１は、その内部に貫通するねじ孔５２を有すると共に、室外側面５３及び室内側面５４は平面上に形成される。また、連結部５５は、薄板状からなり２つの筒状部５１を連結する。スペーサ５０は連結部５５により２つの筒状部５１、５１を有していることにより、取付けの作業効率を向上させることができる。
【００２５】
図４に示すように、スペーサ５０はドア金属上框２０ａとドア樹脂上框２０ｂの間の空間部２０ｅに設けられ、室外側面５３はドア金属上框２０ａの室内側面に当接すると共に、室内側面５４はドア樹脂上框２０ｂの室内側面と略面一状とされる。また、ドア金属上框２０ａの室内側面には取付ねじ５８を貫通させるねじ孔を形成すると共に、ドア樹脂上框２０ｂにはスペーサ５０を貫通させるように開口をそれぞれ形成する。スペーサ５０をドア樹脂上框２０ｂに取付けると、ドア樹脂上框２０ｂとスペーサ５０及びドア金属上框２０ａで一連の貫通孔２０ｆを形成する。このため、ドアクローザ６の本体６ａから挿入された取付ねじ５８は、ドア樹脂上框２０ｂとドア金属上框２０ａをスペーサ５０を介して貫通、固定することになる。すなわち、ドアクローザ６はスペーサ５０を介してドア金属上框２０ａに取付固定される。これにより、ドア樹脂上框２０ｂを変形させることなく取付ねじ５８をドア金属上框２０ａに対して強固に締付けることができる。
【００２６】
また、ドア金属上框２０ａの室内側面にはドア樹脂上框２０ｂと反対側に補強板５７が設けられている。図５に示すように、補強板５７は、ねじ孔５７ｂでドア金属上框２０ａに固定されると共に、取付ねじ５８の貫通孔に対応した位置にねじ孔５７ａを有している。ドアクローザ６から挿入された取付ねじ５８はドア樹脂上框２０ｂとスペーサ５０とドア金属上框２０ａ及び補強板５７を貫通し、それらを固定する。補強板５７のねじ孔５７ａは、補強板５７に対してバーリング加工を行って形成される。すなわち、ねじ孔５７ａの周縁部がわずかに立ち上がるように加工され、その内周にはねじ山を切って取付ねじ５８をねじ止めすることができるようにされている。
【００２７】
次に、スペーサ５０を用いたドアクローザ６のドア上框２０に対する取付方法について図７に沿って説明する。まず、ドア金属上框２０ａには、室内側面の内部に補強板５７を予めねじ止めしておく。補強板５７は、ねじ孔５７ａ周縁部のわずかに立ち上がった部分が室外側を向くように配置されている。また、ドア樹脂上框２０ｂには、スペーサ５０を予め取付けておく。スペーサ５０は連結部５５がドア樹脂上框２０ｂの室外側片２０ｃに当接するように、ドア樹脂上框２０ｂの室外側から取付けられる。連結部５５がドア樹脂上框２０ｂの室外側片２０ｃに当接する位置において、スペーサ５０の室内側面５４はドア樹脂上框２０ｂの室内側面と略面一状となる。
【００２８】
スペーサ５０を取付けられたドア樹脂上框２０ｂは、ドア金属上框２０ａに係止され、固定される。それによって、スペーサ５０の室外側面５３は、ドア金属上框２０ａの室内側面に当接すると共に、ドア上框２０の室内側面を貫通する貫通孔２０ｆを形成する。さらに、ドア樹脂上框２０ｂの室内側からドアクローザ６の本体６ａが当接し、取付ねじ５８を挿入、固定することで、ドアクローザ６をスペーサ５０を介してドア金属上框２０ａに固定する。
【００２９】
ドアクローザ６は、これまで説明したドア上框２０に対して取付固定されると共に、上枠１０に対しても取付固定される。上枠１０は、ドア上框２０と同様に、室外側の金属部材と室内側の樹脂部材から構成される複合材からなり、それぞれ金属上枠１０ａと樹脂上枠１０ｂからなっている。ここで、樹脂上枠１０ｂと金属上枠１０ａとの間にはドア上框２０の場合と同様に空間部１０ｃを有し、このためにそのままねじ止めしたのでは樹脂上枠１０ｂの変形を生じる。そこで、上枠１０においてもスペーサ５０を設けて、樹脂上枠１０ｂが変形しないようにされている。その構成については、ドア上框２０とほぼ同様である。
【００３０】
ただし、上枠１０においてはドア上框２０のスペーサ５０のように複数の筒状部５１を連結させたものではなく、１つの筒状部５１からなるスペーサ５０を用いる。また、ここでのスペーサ５０は、その室内側面５４が樹脂上枠１０ｂに当接するように形成され、このためドアクローザ６の上アーム６ｂを上枠１０に固定する際には、スペーサ５０は樹脂上枠１０ｂから押圧される。また、スペーサ５０の室外側面５３は金属上枠１０ａに当接する。このようにスペーサ５０は金属上枠１０ａと樹脂上枠１０ｂの間の空間部１０ｃに設けられ、ドアクローザ６はスペーサ５０を介して金属上枠１０ａに対してねじ止めされることにより、樹脂上枠１０ｂを変形させることなく、ドアクローザ６を上枠１０に強固に固定することができる。
【００３１】
第１の実施形態では上述のようにスペーサ５０をドア上框２０のドア金属上框２０ａとドア樹脂上框２０ｂの間に設け、スペーサ５０の室外側面はドア金属上框２０ａに当接させ、室内側面はドア樹脂上框２０ｂの室内側面と略面一状とすることにより、ドアクローザ６の取付に際して取付ねじ５８による押圧力をスペーサ５０で受けることができて、ドア樹脂上框２０ｂの変形を防ぐことができる。スペーサ５０で取付ねじ５８の押圧力を受けるための構成としては、これには限られず、他の態様によって同様の効果を奏することも可能である。以下にその他の態様について説明する。
【００３２】
図８には、本発明の第２の実施形態におけるスペーサ５０の構成を表した拡大断面図を示す。図８においては、スペーサ５０をドア樹脂上框２０ｂに取付けた状態を示している。スペーサ５０の室外側面５３は、第１の実施形態の場合と同様に金属上框２０ａに当接する。一方、スペーサ５０の室内側面５４は、ドア樹脂上框２０ｂの室内側片２０ｄに当接する。したがって、第１の実施形態ではドア樹脂上框２０ｂには、室外側片２０ｃと室内側片２０ｄを貫通するスペーサ５０の外周と略同径の開口が設けられるのに対し、本実施形態ではドア樹脂上框２０ｂにおいて、室外側片２０ｃにはスペーサ５０が貫通するように外周と略同径の開口を設け、室内側片２０ｄにはスペーサ５０のねじ孔５２と略同径の開口を設ける。
【００３３】
このように構成することで、ドア樹脂上框２０ｂの室外側から挿入されるスペーサ５０は、連結部５５がドア樹脂上框２０ｂの室外側片２０ｃに当接し、室内側面５４がドア樹脂上框２０ｂの室内側片２０ｄに当接すると共に、ドア樹脂上框２０ｂからスペーサ５０、ドア金属上框２０ａ及び補強板５７に至るまで一連に貫通した貫通孔２０ｆを形成する。これにより、ドアクローザ６の取付に際して取付ねじ５８による押圧力をスペーサ５０で受けることができて、ドア樹脂上框２０ｂの変形を防ぐことができる。
【００３４】
図９には、本発明の第３の実施形態におけるスペーサ５０の構成を表した拡大断面図を示す。図９においても、スペーサ５０をドア樹脂上框２０ｂに取付けた状態を示している。スペーサ５０は、第１及び第２の実施形態と異なり、１つの筒状部５１からなっている。そして、室外側面５３はドア金属上框２０ａの室内側面に当接すると共に、室内側面５４はドア樹脂上框２０ｂの室内側片２０ｄに当接する。これについては第２の実施形態と同様であり、したがってドア樹脂上框２０ｂの開口の構成は第２の実施形態と同一となる。また、ドア樹脂上框２０ｂからスペーサ５０、ドア金属上框２０ａ及び補強板５７に至るまで一連に貫通した貫通孔２０ｆを形成する。このため、室外側から挿入されたスペーサ５０は、ドア樹脂上框２０ｂの室内側片２０ｄに当接し、ドアクローザ６の固定の際には、取付ねじ５８による押圧力をスペーサ５０で受けることができて、ドア樹脂上框２０ｂの変形を防ぐことができる。
【００３５】
図１０には、本発明の第４の実施形態におけるスペーサ５０の構成を表した拡大断面図を示す。図１０においても、スペーサ５０をドア樹脂上框２０ｂに取付けた状態を示している。スペーサ５０は、第３の実施形態と同様に１つの筒状部５１からなっている。室外側面５３はドア金属上框２０ａの室内側面に当接すると共に、室内側面５４はドア樹脂上框２０ｂの室内側面と略面一状とされてなり、ドア樹脂上框２０ｂには室外側片２０ｃ及び室内側片２０ｄのいずれにもスペーサ５０の外周と略同径の開口を設ける。
【００３６】
このままではスペーサ５０をドア樹脂上框２０ｂに固定することができないので、スペーサ５０の筒状部５１には、鍔状の突部５６を設ける。この突部５６がドア樹脂上框２０ｂの室外側片２０ｃに当接することで、スペーサ５０をドア樹脂上框２０ｂに取付けることができる。また、スペーサ５０を取付けると、ドア樹脂上框２０ｂからスペーサ５０、ドア金属上框２０ａ及び補強板５７に至るまで一連に貫通した貫通孔２０ｆを形成する。これによりドア樹脂上框２０ｂに取付けられたスペーサ５０は、他の実施形態の場合と同様に、ドアクローザ６の固定の際に、取付ねじ５８による押圧力をスペーサ５０で受けることができて、ドア樹脂上框２０ｂの変形を防ぐことができる。
【００３７】
第１〜第４の実施形態は、以上のようにそれぞれスペーサ５０が異なる態様で設けられる。これらは、ドアクローザ６のドア上框２０に対する取付ねじ５８のねじ孔の配置等に応じて、適宜選択することができる。
【００３８】
これまで本発明の実施形態について説明したが、本発明の適用は上記実施形態には限られず、その技術的思想の範囲において様々に適用され、種々異なる形態にて実施されてよい。本実施形態においては、上げ下げ障子を有する断熱ドアに、本発明を適用したものを示したが、断熱ドアの形態はこれに限られるものではなく、固定障子を有するものであってもよい。いずれにしても、室外側を金属部材で形成し、その室内側を樹脂部材で覆ってなる複合材をドア枠やドア体に用いているものであれば、本発明を適用することができる。
【００３９】
【発明の効果】
以上説明したように、本発明に係る断熱ドアによれば、上枠及び／又は上框には樹脂部材と金属部材の間の空間部に樹脂からなるスペーサを設け、ドアクローザはスペーサを介して金属部材にねじ止めしてなるので、上枠や上框にドアクローザをねじ止めによって固定する場合に、樹脂部材を変形させることなく強固に固定することができるので、ドアクローザの取付強度を高めることができる。また、スペーサは樹脂からなるので、断熱性能も確保できる。
【００４０】
また、本発明に係る断熱ドアによれば、樹脂部材とスペーサ及び金属部材の室内側面は一連に貫通する貫通孔を備えているので、ねじの締付けによる圧力をスペーサで受けることができ、樹脂部材の変形を防ぐことができる。
【００４１】
さらに、本発明に係る断熱ドアによれば、スペーサは筒状部を複数設け、各筒状部は連結部にて相互に一体化されてなるので、スペーサの取付が容易であり、作業効率を向上させることができる。
【００４２】
さらにまた、本発明に係る断熱ドアによれば、スペーサの筒状部は外方に向かって突出する突部を有するので、スペーサを樹脂部材に脱落することなく取付けることができ、断熱ドアの組立における作業効率を向上させることができる。
【００４３】
そして、本発明に係る断熱ドアによれば、スペーサは室内側面を樹脂部材の室内側面と略面一状とするか、室内側面を樹脂部材の室内側片に当接させてなるので、ドアクローザからの押圧力をスペーサまたは樹脂部材で強固に受けることができる。
【図面の簡単な説明】
【図１】本実施形態における断熱ドアの縦断面図である。
【図２】本実施形態における断熱ドア上部の横断面図である。
【図３】本実施形態における断熱ドア下部の横断面図である。
【図４】本実施形態における断熱ドアの縦断面図の上部拡大図である。
【図５】本実施形態におけるドア上框のドアクローザ取付部分の正面図である。
【図６】本実施形態におけるスペーサの拡大図である。
【図７】本実施形態におけるドアクローザのドア体に対する組立図である。
【図８】スペーサの第２の実施形態を示した図である。
【図９】スペーサの第３の実施形態を示した図である。
【図１０】スペーサの第４の実施形態を示した図である。
【符号の説明】
１      ドア枠
２      ドア体
３      外障子
４      内障子
５      網戸
６      ドアクローザ
６ａ    本体
１０      上枠
１０ａ    金属上枠
１０ｂ    樹脂上枠
２０      ドア上框
２０ａ    ドア金属上框
２０ｂ    ドア樹脂上框
２０ｃ    室外側片
２０ｄ    室内側片
２０ｅ    空間部
２０ｆ    貫通孔
５０      スペーサ
５１      筒状部
５２      ねじ孔
５３      室外側面
５４      室内側面
５５      連結部
５６      突部
５７      補強板
５７ａ    ねじ孔
５８      取付ねじ
【図１】
2004293227.tif 000003
【図２】
2004293227.tif 000004
【図３】
2004293227.tif 000005
【図４】
2004293227.tif 000006
【図５】
2004293227.tif 000007
【図６】
2004293227.tif 000008
【図７】
2004293227.tif 000009
【図８】
2004293227.tif 000010
【図９】
2004293227.tif 000011
【図１０】
2004293227.tif 000012